(57)【要約】  ランプ駆動回路が開示されている。ランプ駆動回路は、受動力率補正（ＰＦＣ）回路を含む。受動ＰＦＣ回路は、動作時に、交流（ＡＣ）電源に接続される。ランプ駆動回路は、更に受動ＰＦＣ回路に接続された直流−直流（ＤＣ−ＤＣ）電力変換器を含む。ＤＣ−ＤＣ電力変換器は、受動ＰＦＣ回路と協働して、定エネルギー変換器として動作する。また、ランプ駆動回路は、ＤＣ−ＤＣ電力変換器に接続されたランプ回路を含む。
2009509298.tif 000002
【特許請求の範囲】
【請求項１】
受動力率補正（ＰＦＣ）回路であって、動作時に交流（ＡＣ）電源に接続される受動ＰＦＣ回路、
受動ＰＦＣ回路に接続される直流−直流（ＤＣ−ＤＣ）電力変換器であって、受動ＰＦＣ回路と協働して定エネルギー変換器として動作するＤＣ−ＤＣ電力変換器、及び
ＤＣ−ＤＣ電力変換器に接続されるランプ回路
から成るランプ駆動回路。
【請求項２】
ランプ回路が、
ＤＣ−ＤＣ電力変換器に接続されるランプイグナイタ回路、及び
ランプイグナイタに接続される電球
から成る請求項１のランプ駆動回路。
【請求項３】
電球が高圧、短弧の電球から成る請求項２のランプ駆動回路。
【請求項４】
受動ＰＦＣ回路がバレイ−フィル回路から成る請求項１のランプ駆動回路。
【請求項５】
バレイ−フィル回路が、
ＡＣ電源に接続されるブリッジ整流回路、及び
ブリッジ整流回路とＤＣ−ＤＣ電力変換器の間に接続される電荷蓄積供給回路
から成る請求項１のランプ駆動回路。
【請求項６】
電荷蓄積供給回路が、
複数のキャパシタ、
複数のダイオード、及び
少なくとも一つの抵抗
から成り、
複数のキャパシタ、複数のダイオード及び少なくとも一つの抵抗は、動作時、ＡＣ電源に関連する線間電圧が閾値より大きいときに複数のキャパシタが直列に充電され、線間電圧が閾値よりも小さいときに複数のキャパシタが並列に放電する、
請求項５のランプ駆動回路。
【請求項７】
閾値が線間電圧の公称ピーク値の半分である、請求項６のランプ駆動回路。
【請求項８】
更に、受動ＰＦＣ回路に接続された電磁妨害（ＥＭＩ）フィルタから成り、
動作時、受動ＰＦＣ回路がＥＭＩフィルタを介してＡＣ電源に接続される、
請求項１のランプ駆動回路。
【請求項９】
ＥＭＩフィルタが抵抗性、誘導性、容量性の回路から成る、請求項８のランプ駆動回路。
【請求項１０】
ＤＣ−ＤＣ電力変換器が、動作時に不連続に動作するフライバックＤＣ−ＤＣ電力変換器から成る、請求項１のランプ駆動回路。
【請求項１１】
ＤＣ−ＤＣ電力変換器が、動作時に不連続に動作するバック−ブースト変換器から成る、請求項１のランプ駆動回路。
【請求項１２】
電磁妨害（ＥＭＩ）フィルタであって、動作時に交流（ＡＣ）電源に接続されるＥＭＩフィルタ、
ＥＭＩフィルタに接続される受動力率補正（ＰＦＣ）回路、
受動ＰＦＣ回路に接続される直流−直流（ＤＣ−ＤＣ）電力変換器であって、受動ＰＦＣ回路と協働して、定エネルギー変換器として動作するＤＣ−ＤＣ電力変換器、及び
ＤＣ−ＤＣ電力変換器に接続されるランプ回路
から成るランプ駆動回路。
【請求項１３】
受動ＰＦＣ回路がバレイ−フィル回路から成る、請求項１２のランプ駆動回路。
【請求項１４】
ＤＣ−ＤＣ変換器が、動作時に不連続に動作するフライバックＤＣ−ＤＣ変換器から成る、請求項１２のランプ駆動回路。
【請求項１５】
ＤＣ−ＤＣ変換器が、動作時に不連続に動作するバック−ブーストＤＣ−ＤＣ変換器から成る、請求項１２のランプ駆動回路。
【請求項１６】
受動力率補正（ＰＦＣ）回路であって、動作時に交流（ＡＣ）電源に接続される受動ＰＦＣ回路、
受動ＰＦＣ回路に接続される直流−直流（ＤＣ−ＤＣ）電力変換器であって、受動ＰＦＣ回路と協働して定エネルギー変換器として動作するＤＣ−ＤＣ電力変換器で、ＤＣ−ＤＣ変換器が不連続に動作するもの、及び
ＤＣ−ＤＣ電力変換器に接続されるランプ回路
から成るランプ駆動回路。
【請求項１７】
受動ＰＦＣ回路が、動作時、
整流信号を発生するようにＡＣ電源により発生されるＡＣ電力信号を整流し、かつ、
実質的に固定した量の電気エネルギーを蓄積し、この固定した量の電気エネルギーを、ＡＣ電力信号の各々の期間、ＤＣ−ＤＣ変換器に供給し、
整流信号が閾値を超えるとき電気エネルギーが蓄積され、整流信号が閾値を下回るとき蓄積された電気エネルギーがＤＣ−ＤＣ電力変換器に供給される、
請求項１６のランプ駆動回路。
【請求項１８】
閾値がＡＣ電源の線間電圧の公称ピーク値の約半分である、請求項１７のランプ駆動回路。
【請求項１９】
ＤＣ−ＤＣ変換器が、動作時に不連続に動作するフライバックＤＣ−ＤＣ変換器から成る、請求項１６のランプ駆動回路。
【請求項２０】
ＤＣ−ＤＣ変換器が、動作時に不連続に動作するバック−ブーストＤＣ−ＤＣ変換器から成る、請求項１６のランプ駆動回路。
【発明の詳細な説明】
【技術分野】
【０００１】
この開示は、電球に電力を供給する電源に関する。
【背景技術】
【０００２】
表示技術（例えば、電算機及び娯楽用表示装置のためのもの）は、通常、消費者用及び業務用のエレクトロニクスの場合がそうであるように、進歩し続けている。表示装置（デジタル表示用プロジェクタ、平面パネル表示器、プラズマ表示器、陰極線管（ＣＲＴ）表示器等）は、表示する画像の質及び解像度において改良され続けている。多種多様のこのような表示システムは、本出願の譲受人である、オレゴン州ウィルソンビルのインフォーカス社から入手できる。
【０００３】
インフォーカス社で製造されている投写型表示装置は、画像（例えば、静止画又は動画）の表示のための光学的サブシステムを含む。このような光学的サブシステムは、典型的には画像投射用の光を発生するための光源（例えば高圧水銀灯）を含む。光源（ランプ）は、ランプ駆動回路により電力供給（駆動）される。しかし、現在のランプ駆動回路は、或る欠点を持っている。
【発明の開示】
【発明が解決しようとする課題】
【０００４】
現在のランプ駆動回路の欠点の一つは、その設計上で妥協がされていることであり、それは、部分的には、現在表示装置に使用されている殆どの電球（ランプ）が短弧（ｓｈｏｒｔ  ａｒｃ）ランプであるという事実による。このようなランプの寿命を改善するためには、ランプ駆動用のランプ駆動回路の出力キャパシタを比較的小さなものとし、駆動回路からランプに供給される過渡電流量を減少することが望ましい。しかし、脈流量（例えば、交流電力の直流電力への変換に起因するもの）は、また、アークジャンプ（ａｒｃ  ｊｕｍｐ）（ランプを損傷する。）及びフリッカ（投射画像の質に逆効果を生じる。）を防止するために、減少すべきである。現在の手法は、脈流減少のために受動的かつ誘導的な濾波を用いている。このような濾波の使用は、ランプ駆動回路の出力キャパシタの大きさを減少させるという目的とは矛盾する。したがって、このような手法では、通常は、脈流の減少とランプ駆動回路出力キャパシタの大きさの減少との間で妥協が図られる。
【０００５】
現在のランプ駆動回路の他の欠点は、このような回路の全費用である。ランプ駆動回路を実現する現在の手法は、２つの能動変換器を、力率変換器と呼ばれるフロントエンド変換器とフロントエンド変換器からの電力をランプ照明（駆動）に使用しうる電力（典型的には直流（ＤＣ）電力）に変換するバックエンド変換器とを用いる。現在のランプ駆動回路の典型的な構成は、力率（例えば、交流電源の負担）の調整及び／又はランプ駆動回路の有効電力消費の調整のために交流（ＡＣ）電源（例えば、１２０Ｖの住宅用交流電力）からの電力の整流と整流された電力の高圧（例えば、４００−５００Ｖ）への昇圧とを共に行うフロントエンド変換器用のブースト変換器（ｂｏｏｓｔ  ｃｏｎｖｅｒｔｅｒ）を含んでいる。
【０００６】
このような構成では、バックエンド変換器は、典型的には、フロントエンド変換器による高圧をランプで使用する電圧（例えば４０−５０Ｖ）に降圧するバック変換器（ｂｕｃｋ  ｃｏｎｖｅｒｔｅｒ）として実現される。フロントエンド変換器とバックエンド変換器は、共に能動素子と制御回路（例えばパルス幅変調制御器）とを含む能動回路であるから、このような手法は、高価なものとなる。更に、このような手法は、また、出力キャパシタの大きさの減少と脈流減少との間の妥協に苦しんでいる。これに基づき、ランプ駆動回路を実現する代わりの手法が望まれている。
【０００７】
前記の関連技術及び関連する限定の例は、説明用であって、排他的なものではない。関連技術の他の限定は、当業者が明細書を読み、図面を参照すれば明らかとなるであろう。
【ランプ駆動回路】
【０００８】
ここで図１を参照すると、上述した現在の手法の欠点の少なくとも幾つかを扱うランプ駆動回路１００のブロック図が示されている。ランプ駆動回路１００は、図１に示されるように、動作時に交流（ＡＣ）電源に接続される電磁妨害（ＥＭＩ）フィルタ１１０を有する。ＥＭＩフィルタ１１０は、ランプ駆動回路１００によって発生される高周波雑音等の雑音を減少するために使用される。ＥＭＩフィルタ１１０は、このような雑音が電力線へ送出されることを防止する。この濾波は、このような雑音が同じ電力線に接続される他の電気機器に干渉するので、望ましいものである。
【０００９】
ＡＣ電源は、合衆国で広く使用されている１２０ＶのＡＣ電源でよい。代わりに、ＡＣ電源は、欧州諸国で広く使用されている２４０ＶのＡＣ電源でよい。勿論、任意の適当な電源を使用することができる。
【００１０】
ランプ駆動回路１００は、更に、ＥＭＩフィルタ１１０に接続された受動力率補正（ＰＦＣ）回路１２０を含む。特定の実施形態によれば、受動ＰＦＣ回路１２０は、ＥＭＩフィルタ１１０から受ける濾波後のＡＣ電力信号を整流し、整流後の信号から電気エネルギーを蓄積し、蓄積した電気エネルギーをランプ駆動回路１００の他の部分へ供給する。更に、受動ＰＦＣ回路１２０の回路要素は、特定の応用（例えば、電力結合上の負担の調整及び／又はランプ駆動回路の有効電力消費の必要な調整）のために適切な力率補正がされるように選択される。
【００１１】
ＰＦＣ回路１２０は受動回路（例えば、能動素子及び／又は制御器を有しない。）であるので、一般に現在のランプ駆動回路に用いられているような能動素子及び／又は制御器（例えば、パルス幅変調制御器）を有する能動フロントエンド変換器よりも、その実施が遙かに安価になる。したがって、受動ＰＦＣ回路１２０の使用は、現在の手法に対して費用面での効果を生ずる。
【００１２】
受動ＰＦＣ回路１２０は、ＤＣ−ＤＣ変換器１３０に接続される。この実施形態では、ＤＣ−ＤＣ変換器１３０は、受動ＰＦＣ回路１２０から濾波、整流されたＤＣ電力信号を受け取る。そして、ＤＣ−ＤＣ変換器１３０は、濾波、整流されたＤＣ電力信号を電球の駆動（電力供給）に使用するのに適当なＤＣ電力信号に変換する。特定の応用では、ＤＣ−ＤＣ変換器は、受動ＰＦＣ回路１２０から受ける、濾波、整流されたＤＣ電力信号を降圧（例えばバック変換器として動作）又は昇圧（例えばブースト変換器として動作）する。特定の手法は、使用するＡＣ電源、所望の力率及び／又は使用するランプの電力条件のような、これに限定はされないが、多数の要因に依存する。
【００１３】
ＤＣ−ＤＣ変換器１３０は、定エネルギー変換器として動作するように、所定周波数で不連続に動作する。例えば、回路１００において、ＤＣ−ＤＣ変換器１３０は、線間電圧が閾値を超えるとき（例えば１８０度中１５０度）、ＡＣ入力波形サイクルの相当な部分に対してＡＣ線から直接電力を引き出す。そして、この状況では、ＤＣ−ＤＣ変換器は、ＡＣ入力波形サイクルの残りの部分（例えば１８０度中３０度）に受動ＰＦＣ回路１２０から電力を引き出す。ＤＣ−ＤＣ変換器１３０の個々のスイッチングサイクルの最後（ＡＣ線間電圧から直接に、又は受動ＰＦＣ回路１２０にエネルギーが蓄積されているとき）に、ＤＣ−ＤＣ変換器には本質的に蓄積されるエネルギーはない。このような手法では、ＡＣ入力波形のラインサイクル毎に蓄積されるエネルギーの減少が可能となる。このような構成では、閾値電圧は、例えばＡＣ電源の公称ピーク線間電圧の半分に選定される。
【００１４】
上記の手法により、ＤＣ−ＤＣ変換器１３０に与えられる電圧が比較的大きな線間電圧成分（例えば５０％）を有することになり、脈流を生じる。しかし、ＤＣ−ＤＣ変換器１３０が受動ＰＦＣ変換器１２０と共に定エネルギー変換器として動作することから、回線周波数の脈流は除去（ｒｅｊｅｃｔｉｏｎ）と呼ばれるものにより減少する。実質的に固定した量のエネルギーをランプ駆動回路が動作する期間（各々の期間）の一つの部分で蓄積し、ランプ駆動回路期間の第２の部分（各々の期間）で固定量のエネルギーを供給することにより、脈流は、それがＤＣ変換器の出力端子に実質的に通じていない点で、効果的に「除去」される。したがって、このような定エネルギー変換手法が固有の電圧除去特性を有しているので、このような手法により大きな回線周波数脈流成分が変換器に存在することとなる。
【００１５】
ランプ駆動回路は、また、ＤＣ−ＤＣ変換器１３０に接続されたランプイグナイタ１４０を有する。イグナイタ回路１４０は、このイグナイタ１４０に同様に接続された短弧電球１５０内の気体を電離するのに十分な高電圧で放電を生じる。イグナイタ１４０は、電球の電源がはじめに入れられたときに電球１５０中の気体を電離するように動作する。一旦電球１５０の照明が行われると、ＤＣ−ＤＣ変換器は電球の照明を維持するのに必要な電力を（例えばイグナイタ回路経由で）供給する。このようなイグナイタ回路は、本発明の譲受人に譲渡された米国特許第６６２４５８５号に記載されている。この米国特許第６６２４５８５号の開示の全ては、ここに参照として全体的に取り入れられる。
【００１６】
ランプ駆動回路１００は、更に、電球１５０をＤＣ−ＤＣ変換器１３０に接続するランプ帰還信号線１６０を含む。ランプ帰還信号線１６０は、電力監視及び／又は電力調整のために用いられる。例えば、ランプ帰還信号線１６０は、電球１５０の電圧降下（ランプ電圧）及び／又は電球１５０で消費される電流量（ランプ電流）の測定に用いられる。特定の実施形態では、付加的な回路がランプ電圧及び／又はランプ電流の決定に用いられる。
【受動力率補正回路】
【００１７】
ここで図２を参照すると、ランプ駆動回路１００の受動ＰＦＣ回路１２０として用いられる受動ＰＦＣ回路２００のブロック／回路図が示されている。受動ＰＦＣ回路２００は、バレイ−フィル（ｖａｌｌｅｙ−ｆｉｌｌ）回路と呼ばれるが、入力端子２０２及び２０４を含む。入力端子２０２及び２０４は、動作時に、ＡＣ電力信号（例えばＥＭＩフィルタで濾波後の電力信号）を受ける。そして、ＡＣ電力信号は、ブリッジ整流回路に与えられ、ＡＣ電力信号が整流される。このような回路は公知であり、簡潔明確化のためにここでは詳細には記載しない。
【００１８】
受動ＰＦＣ回路２００は、更にキャパシタ２２０及び２３０、ダイオード２４０、２５０及び２６０、抵抗２７０並びに出力端子２８０及び２９０を含む。受動ＰＦＣ回路２００は、整流されたＤＣ電圧が入力端子２０２及び２０４で受け取るピークＡＣ電圧の約半分（例えばＡＣ電源の公称ピーク線間電圧の約半分）のときに、キャパシタ２２０及び２４０がダイオード２５０及び抵抗２７０を介して直列に充電されるように動作する。抵抗２７０は、充電時定数を適当なものにすると共に、キャパシタ２２０及び２４０を通る過渡電流の量を制限する電流制限装置として機能する。
【００１９】
そして、キャパシタ２２０及び２３０に蓄積された電力は、整流されたＤＣ電圧が入力端子２０２及び２０４で受けたピークＡＣ電圧の半分を下回るとき、出力端子２８０及び２９０を介してＤＣ−ＤＣ変換器に（それぞれダイオード２４０及び２６０を通って並列に）供給される。ランプ駆動回路の受動ＰＦＣ回路２００とＤＣ−ＤＣ変換器との間の電流の流れを制御するために、典型的には適当な回路が同様に用いられる。このような回路は、トランジスタスイッチ、電流阻止ダイオード、又はこのような回路の電流の流れを導くための他の任意の適当な手法を含む。
【バック−ブーストＤＣ−ＤＣ変換器】
【００２０】
ここで図３を参照すると、ランプ駆動回路１００のＤＣ−ＤＣ変換回路１３０として用いられるバック−ブースト変換器３００の回路図が示されている。図３に示されるように、受動ＰＦＣ回路２００の出力端子２８０及び２９０は、バック−ブースト変換器３００の入力端子として機能する。つまり、受動ＰＦＣ回路２００から与えられる電力は、端子２８０及び２９０を介してバック−ブースト変換器３００に伝えられる。
【００２１】
バック−ブースト変換器３００は、バック−ブースト変換器３００が行うＤＣ−ＤＣ電力変換を制御するスイッチング素子として機能するｎ型電界効果トランジスタ（ＦＥＴ）３１０を含む。当然のことながら、バイポーラトランジスタ又は絶縁ゲート型バイポーラトランジスタの２つの例のような、他のスイッチング素子を用いることも可能である。トランジスタ（スイッチ）３１０のゲート（例えば制御端子）は、ＰＷＭ制御器のような制御器３１５に接続されている。トランジスタ３１０が導通すると、端子２８０からの電流がインダクタ３２０を通り、更にトランジスタ３１０を通って端子２９０へ流れ、その結果、インダクタ３２０に電気エネルギーが蓄積される。トランジスタ３１０が遮断される（そしてインダクタ３２０が十分なポテンシャルに充電される）と、ダイオード３３０及び３６０が順バイアスとなり、電力が出力端子３８０を介してランプ回路（例えばイグナイタ及び電球）へ供給される。この出力電力は、出力キャパシタ３４０と出力インダクタ３５０で濾波される。既述のように、受動ＰＦＣ制御回路２００及びＤＣ−ＤＣ変換器３００を不連続に動作させることにより、脈流は除去される。この手法では、従来の手法に比して出力キャパシタ３４０の大きさを減少させることが可能となる。
【００２２】
ランプ駆動回路を不連続に動作させるために、ＤＣ−ＤＣ変換器３００は、蓄積された電気エネルギーがスイッチング期間の終わりにインダクタ３２０に実質的に残っていないように構成される。この開示のために、不連続動作は、ＤＣ−ＤＣ変換器に関し、受動ＰＦＣには関係しない。制御器３１５は、インダクタのピーク電流値を設定する。インダクタ３２０に蓄積されるエネルギーは、インダクタ３２０を通じて電流（Ｉ）の２乗のインダクタンス（Ｌ）倍であるＬ×Ｉ２に関係するから、制御器３１５により設定されるピーク電流も同様にスイッチングサイクル毎にインダクタ３２０に蓄積されるエネルギーを決定する。
【００２３】
ＤＣ−ＤＣ変換器３００のスイッチングサイクル毎に蓄積されるエネルギーを制御するために、「導通時」（“ｏｎ−ｔｉｍｅ”）のトランジスタ３１０は、制御器３１５によりピーク電流に従属して動作する。それ故、トランジスタ３１０がスイッチングサイクル毎に導通する時間は、印加電圧に直接に関係する。このように、特定のＤＣ−ＤＣ変換器３００の構成に対して不連続な動作をさせるような範囲の入力電圧について、変換器に与えられる入力電圧の変動は、実質的に完全に除去される。
【００２４】
バック−ブースト変換器３００は、また、ランプ帰還端子３８０を含む。既述のように、ランプ帰還端子は、駆動される電球のランプ電圧及び／又はランプ電流を決定するために用いられる。バック−ブースト変換器３００では、ランプ帰還端子３８０が端子２８０と同じ回路ノードに接続されており、この端子でバック−ブースト変換器３００が受動ＰＦＣ回路２００からＤＣ電圧を受けていることに留意すべきである。したがって、この特定の構成では、付加的な回路及び／又はサービス論理（例えばソフトウエア）は、ランプ帰還信号端子３８０（例えば他の信号との組み合わせ）からのランプ電圧及び／又はランプ電流を決定するために用いられる。バック−ブースト変換器３００での電圧測定では、電流源として動作するＰＮＰトランジスタと抵抗からなる単純な電圧電流変換器が用いられる。この手法では、電流は、高いコモンモード耐電圧を有する差動増幅器で測定される。
【フライバック変換器】
【００２５】
ここで図４を参照すると、フライバックＤＣ−ＤＣ変換器４００の回路図が示されている。バック−ブースト変換器３００に関して記載したように、受動ＰＦＣ回路２００の出力端子２８０及び２９０は、フライバック変換器４００の入力端子として機能する。受動ＰＦＣ回路２００から与えられる電力は、端子２８０及び２９０を介してフライバック変換器４００に伝えられる。
【００２６】
フライバック変換器４００は、バック−ブースト変換器３００にやや類似した方法で動作する。例えば、フライバック変換器４００は、フライバック変換器４００が受動ＰＦＣ回路２００からの電気エネルギーを蓄積する時点と電気エネルギーを電球及び／又はイグナイタに供給する時点を制御する制御器４１５に接続されるｎ型ＦＥＴトランジスタ４１０を含む。トランジスタ４１０が導通しているとき、電気エネルギーは、トランス４２０の一次巻線に蓄積される。バック−ブースト変換器３００とは対照的に、トランス４２０の一次巻線に蓄積された電気エネルギーは、トランス４２０の二次巻線に移され、トランジスタ４１０が遮断してトランス４２０の二次巻線に十分なポテンシャルが存在するとき、順バイアスのダイオード４３０及び４６０に供給される。バック−ブースト変換器３００と再び同様の方法で、フライバック変換器４００は、フライバック変換器４００の出力端子４７０に与えられるＤＣ電力を濾波するための出力キャパシタ４４０及び出力インダクタ４５０を含む。
【００２７】
フライバック変換器４００は、受動ＰＦＣ回路２００と協働して、バック−ブースト変換器３００と実質的に同様に、定エネルギー源として動作する。例えば、フライバック変換器４００は、図３に関連して記載したものと実質的に同様の方法で、不連続モードで動作する。
【００２８】
当然のことながら、ランプ駆動回路１００におけるフライバック変換器４００とバック−ブースト変換器３００との動作上の一つの相違はフライバック変換器４００が充電（エネルギー蓄積）と放電（エネルギー供給）のためにトランス４２０に分離した巻線を有することである。トランス４２０に関しては、一次巻線は充電巻線であり、二次巻線は放電巻線である。対照的に、バック−ブースト変換器３００は、インダクタ３２０の一つの巻線に対して充電及び放電を行う。トランス４２０の分離した充電用及び放電用の巻線により、フライバック変換器４００の出力基準を変換器の内部動作電圧とは独立に選択することが可能となる。
【００２９】
例えば、フライバック変換器４００は、また、ランプ帰還信号端子４８０を有する。バック−ブースト変換器３００のランプ帰還信号端子３８０とは対照的に、ランプ帰還信号端子４８０は、トランス４２０により端子２８０から隔離されている。したがって、この特定の構成においては、ランプ電圧及び／又はランプ電流は、ランプ帰還信号（例えば他の信号との組み合わせ）に基づいて直接決定することができる。実際、ランプ帰還信号は、フライバック変換器４００が用いられる他のランプ駆動回路で使われているものと同じ電気的グラウンド基準に接続することができる。
【ＥＭＩフィルタ回路】
【００３０】
図５は、図１のランプ駆動回路１００のＥＭＩフィルタとして用いられるＥＭＩフィルタ回路５００を示す回路図である。ＥＭＩフィルタ回路５００の端子２０２及び２０４は、このような実施形態では、図２に示される受動ＰＦＣ回路２００に接続されている。既述のように、このようなＥＭＩフィルタ回路は、電圧変換器雑音（例えば高周波雑音）がランプ駆動回路１００に接続されるＡＣ電源線に悪影響を与えることを防止する。付加的な効果として、ＥＭＩ回路５００は、また、ＡＣ電源線の雑音が例えば図１−４に示されるような電力変換器に対して送信されることを防止する。典型的には、スイッチング変換器（ランプ駆動回路１００のようなもの）を含む回路は、ＥＭＩフィルタ５００のようなある種のＥＭＩ濾波を含む。このような回路は公知であるから、簡潔明確化のために、ＥＭＩフィルタ回路５００についてここで更に詳細に論議することはしない。
【まとめ】
【００３１】
多数の特徴と実施形態について以上に論じてきたが、当業者は、この開示を見れば、その特徴及び実施形態について変更、置換、付加及びサブコンビネーションを認識することができる。したがって、意図しているのは、以下に付属するクレーム及び今後取り入れられるクレームがその真の精神と範囲の内に属する変更、置換、付加及びサブコンビネーションを含むように解釈されることである。
【図面の簡単な説明】
【００３２】
実施例が図面の参考図で示されている。ここに示した実施形態と図は、限定的でなく例示的となものとみることを意図している。
【００３３】
【図１】図１は、ランプ駆動回路のブロック図である。
【図２】図２は、図１の回路で実施される受動力率補正回路のブロック／回路図である。
【図３】図３は、図１の回路で実施されるバック−ブースト直流−直流（ＤＣ−ＤＣ）変換器の回路図である。
【図４】図４は、図１の回路で実施されるフライバックＤＣ−ＤＣ変換器の回路図である。
【図５】図５は、図１の回路で実施される電磁妨害フィルタの回路図である。
【図１】
2009509298.tif 000003
【図２】
2009509298.tif 000004
【図３】
2009509298.tif 000005
【図４】
2009509298.tif 000006
【図５】
2009509298.tif 000007
【国際調査報告】
2009509298.tif 000008
2009509298.tif 000009